(57)【要約】【課題】顎骨に歯科インプラント用の埋入穴をドリルで穿設する際に、埋入穴の穿設位置、穿設方向、穿設深さを精密に規定できるステントの製造方法を提供する。【解決手段】ガイドピン１０の挿入軸部１１を顎骨模型Ｍのガイド孔１に挿入し、先端を突出させる。ガイド孔１の外方に突出するガイドピン１０の頭部１２にガイドチューブ２０を外嵌する。ガイドチューブ２０はフランジ部１３の高さｈ分だけ顎骨模型Ｍから離隔する。ガイドピン１０の頭部１２以外の部分は埋設されるように、顎骨模型Ｍの上面にステント成形材料Ｒを盛り付け、硬化させたのち、挿入軸部１１を顎骨模型Ｍの下面側から引き抜いてステントＳを取り外し、さらにガイドピン１０の頭部１２とフランジ部１３とを取り去る。ステントＳのガイドチューブ２０は、埋入穴の穿設位置、穿設方向、および穿設深さをあらかじめ設計値どおりに規定する機能を発揮する。【選択図】    図３Ｄ
2014008090.tif 000002
【特許請求の範囲】
【請求項１】
歯科インプラント埋入用の埋入穴を顎骨に穿設するドリルの位置決めを行なうためのステントを製造する方法であって、
歯科インプラントの埋入位置に相当する位置に上面から下面まで貫通するガイド孔が形成された顎骨模型を準備する模型準備工程、
筒状のガイドチューブと、該ガイドチューブが外嵌される頭部、該頭部の一端に形成され該頭部より大径のフランジ部、および、前記ガイド孔に挿通され前記ガイド孔の長さよりも長い長さを有し、前記フランジ部に対し着脱可能に連結されている挿入軸部を備えるガイドピンとを含んで成る補助具を準備する補助具準備工程、
前記挿入軸部が前記フランジ部に連結されている状態で、前記挿入軸部を前記顎骨模型のガイド孔に挿入して該挿入軸部の先端を前記顎骨模型の下面から突出させるとともに、前記フランジ部を前記顎骨模型の上面に配置し、前記ガイドピンの頭部に前記ガイドチューブを外嵌して前記フランジ部に当接させることにより、前記ガイドチューブを前記フランジ部の高さ分だけ前記顎骨模型から離隔させる補助具装着工程、
前記補助具のうち、前記ガイドピンの頭部を突出させ、該頭部以外の部分は埋設されるように、前記顎骨模型の上面にステント成形材料を盛り付けたのち、該ステント成形材料を硬化させてステントを成形するステント成形工程、
前記顎骨模型の下面から突出している前記ガイドピンの挿入軸部を前記フランジ部から離脱させて前記顎骨模型の下面側へ引き抜いたのち、硬化させた前記ステントを前記顎骨模型から取り外し、さらに、前記ガイドピンの頭部およびフランジ部を前記ステントの下面側から引き抜くステント取外し工程を含むことを特徴とする歯科インプラント用ステントの製造方法。
【請求項２】
前記補助具準備工程において、
前記フランジ部の高さが異なる複数種類の前記ガイドピンを用意し、
顎骨に穿設する埋入穴の穿設深さとドリルの挿入長さとに基づいて、前記ガイドチューブの前記顎骨模型からの離隔距離を決定し、
該決定された離隔距離に応じた高さの前記フランジ部を有するガイドピンを選択して用いることを特徴とする請求項１に記載の歯科インプラント用ステントの製造方法。
【請求項３】
顎骨に歯科インプラント埋入用の埋入穴を穿設するドリルの位置決めを行なうためのステントを製造する際に用いられる補助具であって、
筒状のガイドチューブと、
前記ガイドチューブが外嵌される頭部、該頭部の一端に形成され該頭部より大径のフランジ部、および、あらかじめ準備される顎骨模型に形成される上面から下面まで貫通するガイド孔の長さよりも長い長さを有し、前記フランジ部に対し着脱可能に連結される挿入軸部を備えるガイドピンとを含んで成ることを特徴とするステント製造用補助具。
【請求項４】
前記フランジ部の高さが異なる複数種類の前記ガイドピンを含み、ステントの製造に際し、該複数種類のガイドピンのうちの１つが選択されて用いられることを特徴とする請求項３に記載のステント製造用補助具。
【発明の詳細な説明】
【技術分野】
【０００１】
本発明は、顎骨に歯科インプラント用の埋入穴を穿設するためのドリルの位置決めを行なうステントの製造方法、および、このステントの製造に用いる補助具に関する。
【背景技術】
【０００２】
歯を喪失した場合に、その機能を補うため、顎骨に歯科インプラントを埋入し、これに義歯などの歯科補綴物を固定するインプラント手術が実用化されている。歯科インプラントを顎骨へ埋入するには、顎骨に歯科インプラント埋入用の埋入穴をドリルで穿設する必要がある。埋入穴の位置や方向などの穿設条件は、被施術者の顎骨の状態や、歯科インプラントの埋入箇所に隣接する残存歯の状態などに基づき個々に決定される。ドリルで埋入穴を穿設する際には、この穿設条件を満たすようにドリルの位置決めをしなくてはならない。このため、ドリルの案内孔を形成したステント（サージカルガイド、サージカルステント、外科用テンプレートとも言う）を、被施術者ごとに製作し、これを施術時に被施術者の口腔内に装着することが従来行なわれている。
【０００３】
従来のステント製造方法が、特許文献１および特許文献２に記載されている。特許文献１のステント製造方法は、被施術者の口腔周辺をスキャンして取得したデータに基づき、光造形法装置により、顎骨模型（顎モデル）とステント（テンプレート）とを製作するものである。特許文献１の方法では、コンピュータのデータ処理によって、あらかじめドリル案内孔を形成したステントを製作している。
【０００４】
特許文献２には、被施術者の顎骨形状および口腔形状をＣＴ（Computerized Tomography）スキャンして得たデータに基づき、光造形装置で模型を作製し、この模型の上面に樹脂を被せて硬化させることによりステントを成形する方法が記載されている。特許文献２の方法では、ステントの硬化後、模型に形成したインプラント埋入穴の位置に合わせて、ステントにドリル案内孔を形成している。
【先行技術文献】
【特許文献】
【０００５】
【特許文献１】特開２００５−５１８８３４号公報
【特許文献２】特開２００８−３０７２８１号公報
【発明の概要】
【発明が解決しようとする課題】
【０００６】
ドリルで顎骨に歯科インプラント用の埋入穴を穿設する際には、埋入穴の穿設位置、穿設方向、および穿設深さを精密に規定する必要がある。特許文献１の従来技術は、ステントに形成したドリル案内孔の位置および方向によって、埋入穴の穿設位置および穿設方向を規定しているが、穿設深さについては、必要に応じ、ドリル案内孔の上にリングを追加配置することで調節している。顎骨に対する埋入穴の穿設作業は、被施術者の口腔内で行なうものであるから、リングのような小さく、かつ脱落可能性のある部材を追加するのは好ましくない。
【０００７】
特許文献２に記載の従来技術は、ステントに設けたドリル案内孔により、ドリルによる埋入穴の穿設位置および穿設方向を規定しているが、穿設深さについては考慮されていない。
【０００８】
本発明の目的は、顎骨に歯科インプラント用の埋入穴をドリルで穿設する際に、埋入穴の穿設位置および穿設方向とともに、穿設深さも精密に規定することが可能なステントの製造方法、および、この製造方法に用いる製造補助具を提供することである。
【課題を解決するための手段】
【０００９】
本発明は、歯科インプラント埋入用の埋入穴を顎骨に穿設するドリルの位置決めを行なうためのステントを製造する方法であって、
歯科インプラントの埋入位置に相当する位置に上面から下面まで貫通するガイド孔が形成された顎骨模型を準備する模型準備工程、
筒状のガイドチューブと、該ガイドチューブが外嵌される頭部、該頭部の一端に形成され該頭部より大径のフランジ部、および、前記ガイド孔に挿通され前記ガイド孔の長さよりも長い長さを有し、前記フランジ部に対し着脱可能に連結されている挿入軸部を備えるガイドピンとを含んで成る補助具を準備する補助具準備工程、
前記挿入軸部が前記フランジ部に連結されている状態で、前記挿入軸部を前記顎骨模型のガイド孔に挿入して該挿入軸部の先端を前記顎骨模型の下面から突出させるとともに、前記フランジ部を前記顎骨模型の上面に配置し、前記ガイドピンの頭部に前記ガイドチューブを外嵌して前記フランジ部に当接させることにより、前記ガイドチューブを前記フランジ部の高さ分だけ前記顎骨模型から離隔させる補助具装着工程、
前記補助具のうち、前記ガイドピンの頭部を突出させ、該頭部以外の部分は埋設されるように、前記顎骨模型の上面にステント成形材料を盛り付けたのち、該ステント成形材料を硬化させてステントを成形するステント成形工程、
前記顎骨模型の下面から突出している前記ガイドピンの挿入軸部を前記フランジ部から離脱させて前記顎骨模型の下面側へ引き抜いたのち、硬化させた前記ステントを前記顎骨模型から取り外し、さらに、前記ガイドピンの頭部およびフランジ部を前記ステントの下面側から引き抜くステント取外し工程を含むことを特徴とする歯科インプラント用ステントの製造方法である。
【００１０】
また本発明は、前記補助具準備工程において、
前記フランジ部の高さが異なる複数種類の前記ガイドピンを用意し、
顎骨に穿設する埋入穴の穿設深さとドリルの挿入長さとに基づいて、前記ガイドチューブの前記顎骨模型からの離隔距離を決定し、
該決定された離隔距離に応じた高さの前記フランジ部を有するガイドピンを選択して用いることを特徴とする。
【００１１】
本発明は、顎骨に歯科インプラント埋入用の埋入穴を穿設するドリルの位置決めを行なうためのステントを製造する際に用いられる補助具であって、
筒状のガイドチューブと、
前記ガイドチューブが外嵌される頭部、該頭部の一端に形成され該頭部より大径のフランジ部、および、あらかじめ準備される顎骨模型に形成される上面から下面まで貫通するガイド孔の長さよりも長い長さを有し、前記フランジ部に対し着脱可能に連結される挿入軸部を備えるガイドピンとを含んで成ることを特徴とするステント製造用補助具である。
【００１２】
また本発明は、前記ステント製造用補助具において、前記フランジ部の高さが異なる複数種類の前記ガイドピンを含み、ステントの製造に際し、該複数種類のガイドピンのうちの１つが選択されて用いられることを特徴とする。
【発明の効果】
【００１３】
本発明に係る歯科インプラント用ステントの製造方法（以下、本発明方法と言う）によれば、顎骨模型にあらかじめ形成された上面から下面まで貫通するガイド孔に、前記ガイドピンの挿入軸部を挿入して、該挿入軸部の先端を前記顎骨模型の下面から突出させるとともに、前記フランジ部を前記顎骨模型の上面に配置する。また、前記ガイドピンの頭部に前記ガイドチューブを外嵌して前記フランジ部に当接させることにより、前記ガイドチューブを前記フランジ部の高さ分だけ前記顎骨模型から離隔させる。そして、前記補助具のうち、前記ガイドピンの頭部を突出させ、該頭部以外の部分は埋設されるように、前記顎骨模型の上面にステント成形材料を盛り付けたのち、該ステント成形材料を硬化させてステントを成形する。ついで、前記顎骨模型の下面から突出している前記ガイドピンの挿入軸部を前記フランジ部から離脱させて前記顎骨模型の下面側へ引き抜いたのち、硬化させた前記ステントを前記顎骨模型から取り外し、さらに、前記ガイドピンの頭部およびフランジ部を前記ステントの下面側から引き抜くことにより、内部に前記ガイドチューブを残存させた歯科インプラント用ステントを得ることができる。
【００１４】
本発明方法により製造されるステント内における前記ガイドチューブの配置は、歯科インプラントの施術時にドリルで顎骨に穿設する埋入穴の穿設位置および穿設方向を規定する。また、前記ガイドチューブと前記顎骨模型との離隔距離は、ドリルの挿入長さと協同して、埋入穴の穿設深さを決定する要素である。前記ガイドチューブと前記顎骨模型との離隔距離は、両者間に位置する前記フランジ部によって規定される。したがって本発明方法により製造されるステントは、前記ガイドチューブによって、歯科インプラントの施術時におけるドリルによる埋入穴の穿設位置と穿設方向とを規定するのみならず、前記フランジ部の高さを適宜設定することにより、埋入穴の穿設深さをあらかじめ規定することができる。よって、ドリルで顎骨に埋入穴を穿設する際に、このステントを用いれば、設計値どおりの埋入穴を容易に穿設することが可能である。
【００１５】
また本発明方法に基づきステントを製造するにあたり、前記顎骨模型から取り外す前のステントは、前記顎骨模型のガイド孔に前記挿入軸部を挿入した前記ガイドピンにより、前記顎骨模型の上面に保持される。本発明では、前記挿入軸部を前記フランジ部から離脱させて、顎骨模型の下面から引き抜くことにより、ステントを前記顎骨模型から容易に取り外すことが可能である。また、前記挿入軸部を先に引き抜くので、前記ガイド孔が前記顎骨模型の上面に対して傾斜している場合でも、容易にステントを取り外すことが可能である。
【００１６】
また本発明方法によれば、前記フランジ部の高さの異なる複数種類の前記ガイドピンを用意するので、顎骨に穿設する埋入穴の穿設深さとドリルの挿入長さとに基づいて、前記ガイドチューブの前記顎骨模型からの離隔距離を決定し、該決定された離隔距離に応じた高さのフランジ部を有するガイドピンを選択して用いることにより、被施術者ごとに埋入穴の穿設深さが異なっても、容易に対応することができる。
【００１７】
本発明に係るステント製造用補助具によれば、あらかじめ準備される顎骨模型のガイド孔に、前記ガイドピンの挿入軸部を挿入するとともに、前記フランジ部を前記顎骨模型の上面に配置し、また、前記ガイドピンの頭部に前記ガイドチューブを外嵌して前記フランジ部に当接させることにより、前記ガイドチューブを前記フランジ部の高さ分だけ前記顎骨模型から離隔させ、この状態で、前記補助具のうち、前記ガイドピンの頭部を突出させ、該頭部以外の部分は埋設されるように、前記顎骨模型の上面にステント成形材料を盛り付けたのち、該ステント成形材料を硬化させることにより、ステントを成形することができる。このステントのガイドチューブは、歯科インプラント施術時に、ドリルによる顎骨に対する埋入穴の穿設位置、穿設方向、および穿設深さをあらかじめ設計値どおりに規定する機能を発揮する。
【００１８】
そして、前記ガイドピンの挿入軸部が、顎骨模型に形成される上面から下面まで貫通するガイド孔の長さよりも長い長さを有しているので、前記補助具Ｕの装着時に、前記挿入軸部が、前記顎骨模型の下面から突出する。また、前記挿入軸部は、フランジ部に対し着脱可能に連結されているので、前記顎骨模型の下面側において、前記挿入軸部を前記フランジ部から離脱させて、容易に前記顎骨模型の下面側へ引き抜くことができる。また、前記挿入軸部を引き抜いたのちは、硬化させた前記ステントを、前記顎骨模型から容易に取り外すことができる。さらに、前記ガイドピンの頭部およびフランジ部を前記ステントの下面側から引き抜くことにより、内部にガイドチューブを残存させた歯科インプラント用ステントを得ることができる。
【００１９】
また本発明に係るステント製造用補助具によれば、フランジ部の高さが異なる複数種類のガイドピンを含むので、被施術者によって異なる埋入穴の穿設深さに応じて、必要な高さのフランジ部を有する前記ガイドピンを選択することにより、前記ガイドチューブの前記顎骨模型からの離隔距離を、埋入穴の穿設深さが設計値どおりとなるように調整することが可能である。
【図面の簡単な説明】
【００２０】
【図１Ａ】本発明の一実施形態に係るステント製造用補助具Ｕのガイドピン１０を示すものであって、挿入軸部１１とフランジ部１３とを離脱させた状態の正面図である。
【図１Ｂ】本発明の一実施形態に係るステント製造用補助具Ｕのガイドピン１０を示すものであって、挿入軸部１１とフランジ部１３とを連結した状態の正面図である。
【図２】ガイドチューブ２０を半分断面して示す正面図である。
【図３Ａ】本発明の一実施形態に係るステントの製造方法の模型準備工程および補助具準備工程を示す一部断面正面図である。
【図３Ｂ】本発明の一実施形態に係るステントの製造方法の補助具装着工程を示す一部断面正面図である。
【図３Ｃ】本発明の一実施形態に係るステントの製造方法のステント成形工程を示す一部断面正面図である。
【図３Ｄ】本発明の一実施形態に係るステントの製造方法のステント取り外し工程の途中状態を示す一部断面正面図である。
【図３Ｅ】本発明の一実施形態に係るステントの製造方法のステント取り外し工程の完了状態を示す一部断面正面図である。
【図４Ａ】被施術者の歯科インプラントの埋入位置にステントＳを装着した状態の断面図である。
【図４Ｂ】被施術者の歯科インプラントの埋入位置にドリルＤで埋入穴を穿設している状態の断面図である。
【図４Ｃ】被施術者に歯科インプラントＩを埋入した状態の断面図である。
【図５Ａ】フランジ部１３の高さｈが大きいガイドピン１０を使用したときの補助具Ｕの装着状態を示す断面図である。
【図５Ｂ】フランジ部１３の高さｈが小さいガイドピン１０を使用した時の補助具Ｕの装着状態を示す断面図である。
【発明を実施するための形態】
【００２１】
はじめに、本発明の一実施形態に係るステント製造用補助具Ｕ（以下、単に補助具Ｕと言う）について説明する。図１Ａおよび図１Ｂは、補助具Ｕのガイドピン１０を示すものであって、図１Ａは、挿入軸部１１とフランジ部１３とを分離した状態の正面図、図１Ｂは、挿入軸部１１とフランジ部１３とを連結した状態の正面図である。また、図２は、ガイドチューブ２０を半分断面した正面図である。
【００２２】
補助具Ｕは、顎骨に歯科インプラント埋入用の埋入穴を穿設するドリルの位置決めを行なうためのステントを製造する際に用いられ、ガイドピン１０と、ガイドチューブ２０とから成る。
【００２３】
ガイドピン１０は、たとえばステンレス鋼や硬質プラスチックなどで製作され、柱状の頭部１２と、この頭部１２の一端に形成される大径のフランジ部１３と、フランジ部１３に対し着脱可能に連結される柱状の挿入軸部１１とから成る。
【００２４】
挿入軸部１１は、その長さが、あらかじめ準備される顎骨模型Ｍに形成される上面から下面まで貫通するガイド孔１の長さよりも長く形成され、その外径ｄ１は、ガイド孔１より小径に形成される。
【００２５】
頭部１２の長さは、後述するステント成形材料の盛り付け時に、盛り付けたステント成形材料から確実に突出させることができる程度の長さに形成される。また、頭部１２の外径ｄ２は、後述するガイドチューブ２０の内径Ｃ１より小さく形成される。
【００２６】
フランジ部１３の外径ｄ３は、挿入軸部１１の外径ｄ１よりも大きい。また、フランジ部１３とガイドチューブ２０の下端部が確実に当接するように、フランジ部１３の外径ｄ３は、ガイドチューブ２０の内径Ｃ１よりも大きく形成される。さらに、フランジ部１３の外径ｄ３は、隣接する他のガイドピンのフランジ部との干渉を避けるため、ガイドチューブ２０の外径Ｃ２と同程度または外径Ｃ２未満であることが好ましい。
【００２７】
なお、ガイドピン１０は、フランジ部１３の高さｈが異なる複数種類をあらかじめ用意しておくことが望ましい。具体的には、高さｈが、１ｍｍ、２ｍｍ、３ｍｍのものを用意することが考えられる。
【００２８】
挿入軸部１１とフランジ部１３とを着脱可能に連結する手段としては、図１Ａに、挿入軸部１１の一端に形成した雄ねじ１１ａと、フランジ部１３の端面部に形成した雌ねじ１３ａとを螺合させる構造を例示した。そのほか、磁石を用いて挿入軸部１１とフランジ部１３とを連結する構造や、挿入軸部１１をフランジ部１３の端面部に形成した挿入穴に無理嵌め状態で嵌合させ、離脱させるときには適当な工具で引っ張ることにより強制的に引き抜く構造などが考えられる。
【００２９】
図２に示すガイドチューブ２０は、ガイドピン１０の頭部１２に外嵌される筒状の部材であり、中心部に貫通孔２１を有し、例えばステンレス鋼などで製作される。貫通孔２１の内径Ｃ１は、ガイドピン１０の頭部１２の外径ｄ２よりわずかに大きい、また、ガイドチューブ２０の外径Ｃ２は、フランジ部１３の外径ｄ３に近い大きさであることが好ましい。
【００３０】
ガイドチューブ２０の外周面には溝２２が形成される。この溝２２は、ガイドチューブ２０が後述するステント成形材料に埋設され、該ステント成形材料を硬化させた後に、ガイドチューブ２０がステントから容易には脱落しないようにするためのものである。
【００３１】
ガイドチューブ２０は、歯科インプラントの施術時に、顎骨に埋入穴を穿設するドリルの刃先を、顎骨の予定される穿設位置に案内する。したがって貫通孔２１の内径Ｃ１は、使用するドリルの外径よりわずかに大きい。
【００３２】
またガイドチューブ２０は、歯科インプラントの施術時に、ステントＳを貫通して顎骨Ｇに至るまでのドリルの挿入長さを規定する（図４Ｂ参照）。すなわち、ドリルＤをガイドチューブ２０の貫通孔２１に挿入させたのち、ドリルＤの軸部など適宜箇所に設けた係止部をガイドチューブ２０に当接させることにより、ガイドチューブ２０の上端からドリルＤ先端までのドリルＤの挿入長さを一定値に規定する。
【００３３】
次に、前述した補助具Ｕを用いた歯科インプラント用ステントの製造方法を、図３Ａ〜図３Ｅを参照して説明する。図３Ａは、本発明の一実施形態に係るステントの製造方法の模型準備工程および補助具準備工程を示す一部断面正面図、図３Ｂは、本発明の一実施形態に係るステントの製造方法の補助具装着工程を示す一部断面正面図、図３Ｃは、本発明の一実施形態に係るステントの製造方法のステント成形工程を示す一部断面正面図、図３Ｄは、本発明の一実施形態に係るステントの製造方法のステント取り外し工程の途中状態を示す一部断面正面図、図３Ｅは、本発明の一実施形態に係るステントの製造方法のステント取り外し工程の完了状態を示す一部断面正面図である。
【００３４】
（模型準備工程）
はじめに、図３Ａに示すごとく、顎骨模型Ｍと補助具Ｕとを準備する。顎骨模型Ｍは、従来公知の手法で製作することができる。たとえば、被施術者をＣＴスキャンして顎骨の３次元データを採取し、この３次元データに基づき、光造形装置などを用いて、歯科インプラントの埋入位置に相当する位置にガイド孔１が形成された顎骨模型Ｍを準備する。ガイド孔１は、顎骨模型Ｍの上面から下面まで貫通する貫通孔である。
【００３５】
補助具Ｕは、図１Ｂに例示するガイドピン１０と、図２に例示するガイドチューブ２０とから成るものを使用することができる。
【００３６】
（補助具装着工程）
次に、図３Ｂに示すように、補助具Ｕを顎骨模型Ｍに装着する。すなわち、ガイドピン１０の挿入軸部１１とフランジ部１３とを連結した状態で、挿入軸部１１を、顎骨模型Ｍのガイド孔１に挿入し、その先端を顎骨模型Ｍの下面から突出させる。これにより、フランジ部１３を、顎骨模型Ｍの上面に配置する。続いて、ガイド孔１の外方に突出するガイドピン１０の頭部１２に、ガイドチューブ２０を外嵌して、フランジ部１３に当接させる。これによりガイドチューブ２０が、フランジ部１３の高さｈ分だけ、顎骨模型Ｍから離隔した位置に保持される。
【００３７】
（ステント成形工程）
顎骨模型Ｍに補助具Ｕを装着し終えたならば、図３Ｃに示すごとく、顎骨模型Ｍの上面に、たとえばアクリル樹脂などからなるステント成形材料Ｒを盛り付けたのち、ステント成形材料Ｒを硬化させてステントＳを成形する。
【００３８】
ステント成形材料Ｒは、補助具Ｕのうち、ガイドピン１０の頭部１２を突出させ、頭部１２以外の部分は埋設されるように盛り付ける。このとき、ガイドチューブ２０の上端面が、ステント成形材料Ｒの上面に位置するように盛り付けてもよいが、ガイドチューブ２０の全体をステント成形材料Ｒの内部に埋設し、後続の工程で、ガイドチューブ２０の上端面を露出させるように加工することも可能である。
【００３９】
（ステント取外し工程）
ステント成形材料Ｒが硬化したならば、図３Ｄに示すように、挿入軸部１１をフランジ部１３との連結状態から離脱させ、顎骨模型Ｍの下面に引き抜く。挿入軸部１１とフランジ部１３との連結がねじ構造でなされているときは、挿入軸部１１をねじの緩む方向に回転させることで、フランジ部１３から離脱させることが可能である。挿入軸部１１とフランジ部１３との連結が、磁力や無理嵌めでなされているときは、適宜の工具などを用いてフランジ部１３から強制的に離脱させればよい。
【００４０】
続いて、硬化させたステントＳを、ガイドピン１０の頭部１２とフランジ部１３、およびガイドチューブ２０が取り付けられたままの状態で、顎骨模型Ｍから取り外す。挿入軸部１１を抜き取ってからステントＳを顎骨模型Ｍから取り外すので、ガイド孔１の方向が傾斜していても、ステントＳの取り外しはきわめて簡単である。
【００４１】
ステントＳを顎骨模型Ｍから取り外したならば、図３Ｅに示すように、ガイドピン１０の頭部１２およびフランジ部１３を、ステントＳの下面側から引き抜いて取り去る。その結果、内部にガイドチューブ２０だけを残存させたステントＳが得られる。しかるのち、得られたステントＳに適宜の後処理を加えることにより、目的とする歯科インプラント用ステントＳが完成する。
【００４２】
ステントＳの使用状況の一例を、図４Ａ〜図４Ｃに示す。図４Ａは、被施術者の歯科インプラントの埋入位置にステントＳを装着した状態の断面図、図４Ｂは、被施術者の歯科インプラントの埋入位置にドリルＤで埋入穴を穿設している状態の断面図、図４Ｃは、被施術者に歯科インプラントＩを埋入した状態の断面図である。また図５Ａは、フランジ部１３の高さｈが大きいガイドピン１０を使用した場合の補助具Ｕの装着状態を示す断面図、図５Ｂは、フランジ部１３の高さｈが小さいガイドピン１０を使用した場合の補助具Ｕの装着状態を示す断面図である。
【００４３】
図４Ａに示すように、ステントＳを、被施術者の口腔内における歯科インプラントＩを埋入すべき箇所にあわせて装着する。ついで、図４Ｂに示すように、ドリルＤをステントＳのガイドチューブ２０に挿入して、顎骨Ｇに埋入穴を穿設する。このときガイドチューブ２０は、ドリルＤを挿入するときの案内孔となり、埋入穴の穿設位置および穿設方向を規定する。また、ステントＳの成形時に、ガイドピン１０のフランジ部１３が、ガイドチューブ２０を顎骨模型Ｍから一定高さで離隔するように保持し、この離隔状態でガイドチューブ２０が固定されるから、ガイドチューブ２０は、ドリルＤによる埋入穴の穿設深さを規定する機能を発揮する。したがって、ステントＳを使用することにより、設計値どおりの埋入穴を容易に穿設することが可能である。埋入穴を穿設したのち、図４Ｃに示すように、被施術者の顎骨Ｇに歯科インプラントＩを埋入する。
【００４４】
本実施形態では、フランジ部１３の高さｈが異なる複数種類のガイドピン１０をあらかじめ用意しておき、ステントＳの製造時に、被施術者ごとに決定される設計値に応じた高さｈのフランジ部１３を有するガイドピン１０を選択して使用する。すなわち、必要な埋入穴の穿設深さが小さいときは、図５Ａに示すように、フランジ部１３の高さｈが大きいガイドピン１０を選択して使用し、反対に、必要な埋入穴の穿設深さが大きいときは、図５Ｂに示すように、フランジ部１３の高さｈが小さいガイドピン１０を選択して使用すればよい。具体的には、ガイドチューブ２０の高さが４ｍｍであるときに、図５Ａでは、フランジ部１３の高さｈ＝３ｍｍ、合計の高さ寸法を７ｍｍとしている。図５Ｂでは、フランジ部１３の高さｈ＝１ｍｍとし、合計の高さ寸法を５ｍｍとしている。
【符号の説明】
【００４５】
１０    ガイドピン
１１    挿入軸部
１２    頭部
１３    フランジ部
Ｇ      顎骨
Ｍ      顎骨模型
Ｒ      ステント成形材料
Ｓ      ステント
Ｕ      補助具
【図１Ａ】
2014008090.tif 000003
【図１Ｂ】
2014008090.tif 000004
【図２】
2014008090.tif 000005
【図３Ａ】
2014008090.tif 000006
【図３Ｂ】
2014008090.tif 000007
【図３Ｃ】
2014008090.tif 000008
【図３Ｄ】
2014008090.tif 000009
【図３Ｅ】
2014008090.tif 000010
【図５Ａ】
2014008090.tif 000011
【図５Ｂ】
2014008090.tif 000012
【図４Ａ】
2014008090.tif 000013
【図４Ｂ】
2014008090.tif 000014
【図４Ｃ】
2014008090.tif 000015